(57)【要約】【課題】フィルターや洗浄液を頻繁に交換する必要のない濾過装置を提供すること。【解決手段】水系洗浄液を濾過する濾過装置において、フィルターの濾過部材として少なくとも表面の一部に抗菌あるいは殺菌作用のある銅などの金属あるいはその合金が露出している網を使用る。網は、抗菌あるいは殺菌作用のある金属製の畳織り構造の網であってもよい。また、フィルターは回転すると共に内部に向かって洗浄液が濾過され、かつ内部から濾過された洗浄液が噴射されるドラムフィルターであってもよい。金属製の網によって切り粉等に対する耐久性が向上すると共に網にヘドロ状物質が付着し難くなり、目詰まりが減少してフィルターを交換せずに長時間使用可能である。また、洗浄液の腐敗が抑制され、洗浄液も長持ちする。【選択図】図１
2010137353.tif 000002
【特許請求の範囲】
【請求項１】
フィルターによって水系洗浄液を濾過する濾過装置において、
前記フィルターの濾過部材として少なくとも表面の一部に抗菌あるいは殺菌作用のある金属あるいは前記金属の合金が露出している網を使用したことを特徴とする濾過装置。
【請求項２】
前記抗菌あるいは殺菌作用のある金属は、銅、銀、ニッケル、コバルト、錫、水銀のいずれかであることを特徴とする請求項１に記載の濾過装置。
【請求項３】
前記網は、抗菌あるいは殺菌作用のある金属製の畳織り構造の網であることを特徴とする請求項１に記載の濾過装置。
【請求項４】
前記フィルターは回転すると共に、外部から内部に向かって洗浄液が濾過され、かつ内部から濾過された洗浄液が噴射されるドラムフィルターであることを特徴とする請求項１に記載の濾過装置。
【発明の詳細な説明】
【技術分野】
【０００１】
本発明は、濾過装置に関するものであり、特に、工作機械等から排出される水系洗浄液と切り粉とを分離し、水系洗浄液を濾過する濾過装置に関するものである。
【背景技術】
【０００２】
近年、旋盤等の工作機械においては加工中に切り粉の除去や冷却に使用される洗浄液として水系の洗浄液を使用した洗浄方法が主流となっている。そして、工作機械等から排出される水系洗浄液と切り粉とを分離し、水系洗浄液を濾過する濾過装置として各種の濾過装置が提案されている。
【０００３】
例えば、下記の特許文献１には、切削液の受入れ範囲が広く、濾過部材を小さくしても切削液を良く濾過して、濾過した液を能率良く排出することのできる切削液の濾過装置が開示されている。この濾過装置においては、切削機械のベッドの下部で切削液（洗浄液）が落下する部分に配置する濾過槽の一端を斜め上方に延設してその上端部にモ−タを装着すると共に、前記濾過槽内に外面に掻き取り部材を適宜間隔を置いて取付けたコンベアを内装し、該コンベアを前記モ−タにより駆動して、前記濾過槽の延設上端部側にコンベアの掻き取り部材により搬送された切り粉の排出部を形成している。
【０００４】
一方、前記コンベアにより駆動されるロ−タをそれと一体的に取付けた中空軸を介して前記濾過槽の延設境界部辺の両側に回転自在に装着し、前記ロ−タの外周に瀘布を張着して濾過部材を形成すると共に、該濾過部材の内部に前記瀘布を内部から逆洗する噴射ノズルを配設し、同じく延設境界部辺両側に支持させた中空軸から濾過された切削液を排出するようになっている。
【特許文献１】特開平０７−２０４４２７号公報
【発明の開示】
【発明が解決しようとする課題】
【０００５】
上記した従来の濾過装置においては、フィルター部材として瀘布を使用していたが、瀘布は長い切り粉が接触すると破損してしまうなど耐久性が乏しく、かつ廃液槽内に発生するヘドロ状物質などによって直ぐに目詰まりしてしまい、頻繁に交換する必要があるという問題点があった。また、水系洗浄液は時間が経過すると腐敗して悪臭が発生するという問題点もあり、洗浄液を頻繁に交換する必要があった。本発明は上記した課題を解決し、水系洗浄液を濾過する濾過装置において、フィルターや洗浄液を頻繁に交換する必要のない濾過装置を提供することを目的とする。
【課題を解決するための手段】
【０００６】
本発明の濾過装置は、フィルターによって水系洗浄液を濾過する濾過装置において、前記フィルターの濾過部材として少なくとも表面の一部に抗菌あるいは殺菌作用のある金属あるいは前記金属の合金が露出している網を使用したことを主要な特徴とする。また、前記した濾過装置において、前記抗菌あるいは殺菌作用のある金属は、銅、銀、ニッケル、コバルト、錫、水銀のいずれかである点にも特徴がある。
【０００７】
また、前記した濾過装置において、前記網は、抗菌あるいは殺菌作用のある金属製の畳織り構造の網である点にも特徴がある。また、前記した濾過装置において、前記フィルターは回転すると共に、外部から内部に向かって洗浄液が濾過され、かつ内部から濾過された洗浄液が噴射されるドラムフィルターである点にも特徴がある。
【発明の効果】
【０００８】
本発明の濾過装置は上記したような構成によって、以下のような効果を奏する。（１）濾過部材として、少なくとも表面の一部に抗菌あるいは殺菌作用のある金属あるいは前記金属の合金が露出している網もしくは布を使用することにより、腐敗防止のための装置を別に設けることなく、洗浄液の腐敗が抑制され、洗浄液が長持ちする。
【０００９】
（２）濾過部材として金属製の網を使用することにより、従来の布よりも切り粉等に対する耐久性が大幅に向上するので、交換せずに長時間使用可能である。
【００１０】
（３）濾過部材として抗菌作用のある金属製の網を使用することにより、網にヘドロ状物質が付着し難くなり、ヘドロ状物質による目詰まりが減少し、交換せずに長時間使用可能である。
【００１１】
（４）濾過部材として金属製の網を使用することにより耐久性が大幅に向上する結果、ドラムフィルターの内部からフィルターに向かって噴射される洗浄液の圧力をより高くすることが可能となり、フィルターの目詰まりがより減少し、交換せずに長時間使用可能となる。
【発明を実施するための最良の形態】
【００１２】
以下実施例について図面を参照して説明する。
【実施例１】
【００１３】
図１は、本発明の濾過装置の構成を示す側面図および平面図である。本発明の濾過装置は大きく、廃液槽２０と濾過された洗浄液が溜まる濾過液槽１０に分けられる。廃液槽２０は濾過液槽１０の内部に配置されている。廃液槽２０の一端の上部には図示しない旋盤等の工作機械から切り粉（金属片）が混ざった使用済みの洗浄液（廃液）が流入する開口部２１が設けられている。
【００１４】
廃液槽２０の中央には、軸が水平になるように設置され、チェーンコンベア２６と係合して回転するドラムフィルター２２が配置されており、ドラムフィルター２２はドラム外部から内部へ廃液を濾過して廃液槽２０の側面の開口部から濾過液槽１０に流出させるようになっている。
【００１５】
ドラムフィルター２２の上部には保守点検用ののぞき窓２９が設けられている。また、廃液槽２０の側面には廃液の水位の上限を検出するフロートスイッチ３４が装着されている。廃液槽２０の上記開口部２１と反対側の端部は斜め上方に延長されており、上端部にはチェーンコンベア２６の軸を駆動するモーター３６が装着されている。
【００１６】
チェーンコンベア２６は廃液槽２０の長手方向の側面に沿って、開口部２１の下部に設けられたチェーン折り返しのための円板２９と上端部のモーター３６によって駆動される歯車２３との間に装着され、２本のチェーンの間には所定の間隔で、切り粉排出口２５から切り粉収納箱３１に切り粉を掻き出すための、断面がＬ字状の金属板２７が装着されている。
【００１７】
チェーン折り返しのための円板２９は歯車でもよいが、円板の方が切り粉等が絡み難く、好適である。また、開口部２１とドラムフィルター２２の中間のチェーンコンベア２６の上部には、ドラムフィルター２２の底面の高さよりも低い位置まで延びた抑止板２８が傾斜して装着されている。この抑止板２８は、Ｌ字状の金属板２７によって大量の切り粉がドラムフィルター２２の下部に移動してフィルターが損傷することを防止するためのものである。
【００１８】
廃液槽２０の斜め上方への延長部との接続部分である底面の湾曲部にはチェーンコンベア２６が底面から浮き上がらないようにガイドレール３０が設けられているが、ドラムフィルター２２をこの湾曲部に配置することにより、コンベアの浮き上がりを抑止し、ガイドレール３０を省略することも可能である。
【００１９】
濾過液槽１０は廃液槽２０の側面の開口部から流出した濾過液を溜めるものであり、濾過液槽１０には水位計１３、濾過液を図示しない工作機械へ送出するための複数のポンプ１２、およびストレーナ（フィルタ）１６および圧力計１５を介して濾過液をドラムフィルター２２へ送出するためのポンプ１１とを備えている。キャスター１４は濾過装置全体を移動させるための脚輪である。
【００２０】
図２は、本発明の濾過装置内の洗浄液の流れを示す断面図である。図２上部は縦断面図であり、下部はＡ−Ａ部分の水平断面図である。廃液槽２０の一端の上部に設けられた開口部２１には、図示しない旋盤等の工作機械から切り粉（金属片）が混ざった使用済みの洗浄液が流入する。流入した切り粉は廃液槽２０の底に溜まり、チェーン２６によって移動する金属板２７により、排出口２５へ掻き出される。
【００２１】
廃液４１はドラムフィルター２２の周囲に装着された例えば金属製の網からなるフィルター部材４４によって濾過され、ドラムの内部に流入し、更に廃液槽２０の側面の開口部４８から濾過液槽１０に流出して溜まる。濾過液槽１０に溜まった濾過液１７はポンプ１２によって図示しない工作機械へ送出されると共に、フィルター洗浄用のポンプ１１によりストレーナのフィルタ４２を介してドラムフィルター２２へ送出され、ドラムフィルター２２の中空軸を介して、液面より上部に配置されたノズル４０からフィルター部材４４の内面に噴射される。この洗浄液の噴射によってフィルター部材４４の目詰まりを減少させ、濾過能力を回復させる。
【００２２】
図３は、本発明の濾過装置のドラムフィルター２２の構成を示す縦断面図である。また、図４は、本発明の濾過装置のドラムフィルター２２の構成を示す横断面図である。ドラムフィルター２２は略８角柱の形状であり、８角柱の両端面の円板３５の縁はチェーンコンベアのチェーン２６と係合する歯車５３となっている。
【００２３】
円板３５のシール５１より中心軸４６に近い部分には濾過液が通過するための複数の開口４７が設けられている。円板３５はボールベアリング４５によって中心軸４６に回動可能に固着されている。中空の中心軸４６は廃液槽２０に固着されており、中心軸４６の内部にはポンプ１１から濾過液が供給されて、中心軸４６と連結しているノズル４０からフィルター部材４４の内面に噴射される。
【００２４】
円板３５と対向する廃液槽２０の内面には円板３５の表面を摺動しながら液密状態を維持するリング状のシール５０、５１が２重に装着されており、このシール５０、５１によって廃液４１と濾過液１７とが分離されている。フィルター部材４４によって濾過されてドラムフィルター２２内部に流入した濾過液は、円板３５の開口４７、リング状のシール５０、５１の内側、廃液槽２０の側面の開口部４８を経て濾過液槽１０内に流出し、溜まる。
【００２５】
チェーンコンベア２６のチェーンはドラムフィルター２２の上部において円板３５の歯車５３と嵌合しており、チェーンコンベア２６の移動に伴ってドラムフィルター２２も回動する。但し、ドラムフィルター２２の下部においては円板３５の歯車５３とチェーンコンベア２６のチェーンは嵌合していない。
【００２６】
フィルター部材４４は８角柱の側面の隣接する２平面を接続した形状をなしている。円板３５の内側にはフィルター部材４４の周囲を支持するためのリブ４９、およびリブ４９と同一平面を備え、２枚の円板３５の間の８角柱の側面の辺の部分に設けられた８本の支持板５２が固着されている。４枚のフィルター部材４４はリブ４９および支持板５２にボルトによって固定される。
【００２７】
図５は、本発明の濾過装置のフィルター部材４４の構成を示す平面図、断面図である。図５（ａ）は平面図であり、（ｂ）、（ｃ）、（ｄ）はＢ−Ｂ断面の各層の形状を示す断面図、（ｅ）、（ｆ）は網７２の横断面および縦断面を示す断面図である。フィルター部材４４は前述したように８角柱の側面の隣接する２平面を接続した形状をなしている。
【００２８】
フィルター部材４４は、金属製のフィルター枠７０、銅などの抗菌あるいは殺菌作用のある金属製の網７２、パッキン７３の３層からなっている。金属製のフィルター枠７０にはドラムへの固定用の孔７１が複数個設けられている。網７２は、抗菌あるいは殺菌性があるとされている金属、例えば、銅、銀、ニッケル、コバルト、錫、水銀のいずれか、あるいは少なくともこれらの金属のいずれか１つを含む合金製の金網であってもよく、更に任意の材質（例えばステンレス）の金網に上記した金属あるいはその合金がめっきされるなどして少なくとも表面の一部に露出している金網であってもよい。
【００２９】
例えば銅は経験的に抗菌あるいは殺菌性があることが知られており、フィルターとして例えば銅などの抗菌あるいは殺菌性がある金網を使用することにより、フィルター自体にヘドロ状物質が付着し難くなり、目詰まりが減少すると共に、抗菌あるいは殺菌性がある金属イオンが洗浄液中に溶け出すことによって洗浄液自体の腐敗が防止あるいは抑制され、悪臭やヘドロ状物質の発生が抑制されて洗浄液の寿命が延びると共に、人体に有害な病原菌等の繁殖も抑制される。
【００３０】
金網７２は例えば平畳織りあるいは綾畳織りと呼ばれる折り方で織られた金網を用いることにより平織りよりも耐久性に優れたフィルターを得ることができる。。図５（ｅ）、（ｆ）は平畳織りによって織られた網７２の横断面および縦断面を示す断面図であり、縦糸７５は直線状であり、横糸７６が波状に屈曲している。隣接する横糸７６同士は密接しており、縦糸７５と２本の横糸７６の交叉する部分にできた隙間がフィルターの目となる。金網の目の大きさは必要に応じて選択可能である。
【００３１】
以上実施例を説明したが、本発明の濾過装置には以下のような変形例も考えられる。実施例においては、ドラムフィルターの形状が８角柱である例を開示したが、ドラムフィルターの形状は任意角数の多角柱あるいは円柱形状であってもよい。また、フィルターとして金属製の網に代えて細かい孔が多数開いている抗菌あるいは殺菌作用がある金属製の金属板を使用してもよい。
【００３２】
フィルターとして金属製の網を使用した場合、金属の表面に酸化膜が生じ、抗菌あるいは殺菌作用が低下する恐れがある。そこで、ドラムフィルターの外部または内部にフィルターの金網表面の酸化膜を除去するために金網と接触する金属ブラシなどの酸化膜除去手段を装着してもよい。
【００３３】
実施例としてはフィルターに抗菌あるいは殺菌作用がある金属を使用する例を開示したが、フィルターと共に例えばチェーンコンベアの金属板なども抗菌あるいは殺菌作用がある金属製にするか、あるいは前記金属をめっきするなどして表面に露出させてもよい。チェーンコンベアの金属板は切り粉と接触するので切り粉により酸化膜が削除され、殺菌効果がより長持ちする。
【図面の簡単な説明】
【００３４】
【図１】本発明の濾過装置の構成を示す側面図および平面図である。
【図２】本発明の濾過装置内の洗浄液の流れを示す断面図である。
【図３】本発明の濾過装置のドラムフィルターの構成を示す縦断面図である。
【図４】本発明の濾過装置のドラムフィルターの構成を示す横断面図である。
【図５】本発明の濾過装置のフィルター部材の構成を示す平面図、断面図である。
【符号の説明】
【００３５】
１０…濾過液槽
１１、１２…ポンプ
１３…水位計
１４…キャスター
１５…圧力計
１６…ストレーナ（フィルタ）
１７…濾過液
２０…廃液槽
２１…開口部
２２…ドラムフィルター
２３…歯車
２５…切り粉排出口
２６…チェーンコンベア
２７…金属板
２８…抑止板
２９…のぞき窓
３０…ガイドレール
３１…切り粉収納箱
３４…フロートスイッチ
【図１】
2010137353.tif 000003
【図２】
2010137353.tif 000004
【図３】
2010137353.tif 000005
【図４】
2010137353.tif 000006
【図５】
2010137353.tif 000007